(57)【要約】【課題】  課題は、強烈な痛みを伴う痛風の症状のうち、人体の足首から足先までの部位に発症する痛風患者の痛みの感覚を軽減し、患者の歩行を楽にすることのできるサンダル等の履物であって、痛風の症状が治癒し発作が鎮まった後は、平常の用途としても使用できる履物を提供することである。【解決手段】  痛風が発症し易い足の部位に体重がかかると激しい痛みを感じるので、そうではなく、痛風が発症がほとんど生じない足の部位で主として体重を支えることにより痛風発症部への刺激を少なくする構成の履物であって、痛風発症時外の用途にも使える構成の履物を提供することによって課題を解決する。【選択図】図４
2018149044.tif 000002
【特許請求の範囲】
【請求項１】
複数の板を張り合わせて履物の底板とするとき、少なくとも２枚の板の一部において張り合わせをせずに圧力棒挿入スリット（２５）を形成し、圧力棒（２２）を挿入して履物の底板を変形させ、又は圧力棒（２２）を抜き取って履物の底板を変形させることができる構成を特徴とする履物。
【請求項２】
単数又は複数の板を履物の底板とするとき、少なくとも１枚の板を加工して、圧力棒挿入スリット（２５）を形成し、圧力棒（２２）を挿入して履物の底板を変形させ、又は圧力棒（２２）を抜き取って履物の底板を変形させることができる構成を特徴とする履物。
【請求項３】
請求項１又は請求項２の履物であって、図１１に例示するヒール（２６）を有する履物において、圧力棒（２２）を圧力棒挿入スリット（２５）に挿入したときに、サンダル底板の足裏側接触面のみを拡張し変形させることができる構成を特徴とする履物。
【請求項４】
請求項１又は請求項２又は請求項３の履物であって、図１０に例示する、サンダルバンド（２３）とサンダル甲帽（２４）を繋ぐ保冷材押さえバンド（３０）を設け、保冷材（３１）を保冷材押さえバンド（３０）と履物使用者の足の甲との間に挟み込むことができる構成を特徴とする履物。
【請求項５】
履物の底板であって、足裏面と底板の間に圧力棒（２２）を配置し、底板に固着させて、土踏まず及び足底筋膜部分を支えることができる構成を特徴とする履物の底板。
【発明の詳細な説明】
【技術分野】
【０００１】
本発明は、痛風発症時においても歩行を容易にすることができる履物に関する。
【背景技術】
【０００２】
痛風とは、人体の血中に含有されている尿酸の濃度が、プリン体を多く含む食物の過剰摂取やアルコール飲料の多飲などを原因として著しく上昇することにより、血中尿酸が結晶化し、特に体温が低い足部などに激しい痛みを伴う炎症を発症する病である。痛風はわが国では潜在患者数が５００万人とも言われ、食生活の高カロリー化に伴って年齢を問わずますます増加傾向にある。一旦発症すると、特に足の中足趾間接部分や踵やアキレス腱周辺の部位が腫れ、発熱を伴う強烈な痛みに襲われて、多くの場合、革靴など炎症部位に接触する部分の多い足を覆う形状の履物も履けず歩行が困難となるほどである。そのため、足を全体的に覆わない形状であるサンダルやスリッパなど炎症部位への接触が少ない履物が使用されることもあるが、従来のサンダルやスリッパなどでは、体重によって足裏の患部に圧力が掛かることによる炎症部位への刺激を軽減する工夫がなされておらず、痛風患者は痛みの苦痛に耐えながらの歩行を余儀なくする履物を使用せざるを得なかった。
【０００３】
従来の技術では、靴底に突起状の部分を配置し、主として歩行者の歩き易さやツボ刺激に観点を置いて考案された履物も見受けられるが、これらの考案では履物が痛風の炎症部位へ接触したり、歩行者の体重によって足裏などに圧力が掛かって炎症部位を刺激することを軽減するなどの配慮は無く、従来の技術が痛風の痛みを軽減して歩行を助ける効果はなかった。
【０００４】
痛風の発作は、人体の内臓配置から、左足に発症することが多いと言われている。しかし、右足に発症することある。従来の技術を調べても、痛風の痛みを軽減する履物が左右いずれの足にも取り替えて使用できる考案もなかった。
【０００５】
また、痛風の発作が持続する期間は比較的に短いので、痛風の症状が治癒し発作が鎮まった後は、痛風の痛みを軽減するための履物を平常の用途としても使用できる考案はなかった。
【先行技術文献】
【特許文献】
【０００６】
【特許文献１】特開２００６−１６１２５７号公報
【０００７】
【特許文献２】特開２０１４−００８２９８号公報
【発明の概要】
【発明が解決しようとする課題】
【０００８】
課題は、強烈な痛みを伴う痛風の症状のうち、人体の足首から足先までの部位に発症する痛風患者の痛みの感覚を軽減し、患者の歩行を楽にすることのできるサンダル等の履物を提供することである。
【０００９】
さらに、痛風の痛みを軽減する履物が左右いずれの足にも取り替えて使用でき、痛風の症状が治癒し発作が鎮まった後は、平常の歩行用品としても使用できる痛風の痛みを軽減するための履物を提供することである。
【課題を解決するための手段】
【００１０】
人が直立して二足歩行をする場合には、歩行者の全体重が歩行者の両足の各々の片足に交互に掛かる。図１では、歩行の際に床面乃至履物に対して人体の全体重が掛かる場合の左足裏の部位を点線で囲って示し、各部位を第１乃至第３中足趾間接部分（Ａ）、土踏まず及び足底筋膜部分（Ｂ）及び踵部分（Ｃ）の３箇所に分けて示している。図３は、歩行者がサンダル等の履物を履いて床面に片足で立っている状態を示している。歩行者が静止しているときは、片足に掛かる体重（Ｗ）は、踵部分（Ｃ）に受ける反力（Ｐ１）と第１乃至第３中足趾間接部分（Ａ）に受ける反力（Ｐ２）と土踏まず及び足底筋膜部分（Ｂ）に受ける反力（Ｐ３）との和に等しく釣り合っている。
【００１１】
また、歩行するとき、歩行者の全体重は、右足、左足、右足へと移動するが、左足を例にとって図２で説明すると、図２左側図で示すように、まず踏み出した人の左足の踵部分（Ｃ）が床面に着き、歩行者の重心の移動に従って、次に図２右側図で示すように、踵部分（Ｃ）が床面から離れ、第１乃至第３中足趾間接部分（Ａ）が床面に着くという動作を繰り返している。このとき、床面に最初に着く踵部分（Ｃ）にかかる反力（Ｐ１）は瞬間的には全体重（Ｗ）にほぼ等しく、次に床面に着く第１乃至第３中足趾間接部分（Ａ）にかかる反力（Ｐ２）も瞬間的には全体重（Ｗ）にほぼ等しい。また、図１で示す人体の左足もしくは右足に発症する痛風患部の部位で見ると、第１乃至第３中足趾間接部分部分（Ａ）と踵部分（Ｃ）に発症することが圧倒的に多く、土踏まず及び足底筋膜部分（Ｂ）に発症することは稀であることが一般に知られている。つまり、歩行の際は、痛風が多く発症する部位である踵部分（Ｃ）と第１乃至第３中足趾間接部分（Ａ）とに、全体重（Ｗ）が交互に集中し、炎症部位を刺激して激しい痛みを感じることになる。痛風罹患の経験者である本発明の発明者の体感では、第１乃至第３中足趾間接部分部分（Ａ）のみに痛風を発症し、踵部分（Ｃ）には発症していない場合に、踵部分（Ｃ）のみを使って歩行しようとしても足の甲側の短指伸筋が第１乃至第３中足趾間接部分部分（Ａ）を引っ張って刺激し、やはり歩行時に激しい痛みを感じて歩行が困難であった。
【００１２】
また、第１乃至第３中足趾関節部分にかかる反力（Ｐ２）が作用する足の部位の中でも、図３に示すように、一般には親指の付け根とも呼ばれる第１中足趾関節部分（Ａ−１）は、血中尿酸の結晶が多く溜まる部位であって、初期の痛風はまずこの部位に発症することが多く、大きな刺激を受ければ激しい痛みを生じる。従来のサンダルの場合、従来のサンダル甲帽（１４）に第１中足趾関節部分（Ａ−１）が接触する構造のものが多く、痛風患者の痛みを増加させる原因となっていた。
【００１３】
そこで、図４、図５、図６、図７及び図８に示すように、歩行者の全体重の大部分を支えるサンダル足側底板（２０）からの反力である踵部分にかかる反力（Ｐ１）と第１乃至第３中足趾関節部分にかかる反力（Ｐ２）によって、痛風を発症し易い第１乃至第３中足趾間接部分（Ａ）と踵部分（Ｃ）を刺激を受けるのではなく、歩行者の全体重の大部分を痛風の発症が稀で痛みを感じることが少ない土踏まず及び足底筋膜部分（Ｂ）で支えることの出来る構造を備え、特に症状が激しい第１中足趾間接部分（Ａ−１）への接触が少ないサンダル甲帽を備えたサンダル等の履物を構成することにより課題を解決する。なお、本文では左足を代表例に挙げて説明しているが、右足でも同様である。
【発明の効果】
【００１４】
本発明によれば、痛風を発症した歩行者が二足歩行を行う際に、足の患部が床面あるいは履物に接触したり、床面あるいは履物から圧力が掛かかったりすることにより激しい痛みを感じて歩行が困難になることなく、活動したり仕事を続けたりすることができ、通常の社会生活を行えるという極めて有用な効果がある。
【図面の簡単な説明】
【００１５】
【図１】人体の左足裏の部位の説明図である。
【図２】歩行時において足に受ける反力の変化図である。
【図３】左足に掛かる体重に対する履物からの反力を示す説明図である。
【図４】本発明の全体斜視図である。
【図５】本発明の実施例１を示す説明図である。
【図６】実施例１の内部を示す説明図である。
【図７】本発明の構成を示す分解説明図である。
【図８】実施例１の効果を示す側面図である。
【図９】実施例１及び実施例２の構成を示す側面図である。
【図１０】実施例４の説明図である。
【図１１】実施例３の説明図である。
【図１２】実施例２の説明図である。
【発明を実施するための形態】
【００１６】
本発明は、図４に示すサンダル足側底板（２０）と、サンダル地面側底板（２１）と、圧力棒（２２）と、圧力棒挿入スリット（２５）と、サンダルバンド（２３）と、サンダル甲帽（２４）によって構成される。本発明を使用する歩行者の足裏の土踏まず及び足底筋膜部分（Ｂ）の直下で接する位置であって、圧力棒（２２）を圧力棒挿入スリット（２５）に挿入することによって足側に持ち上げられたサンダル足側底板（２０）と地面側に押し下げられたサンダル地面側底板（２１）の間隙部分が段丘となって土踏まず及び足底筋膜部分（Ｂ）を押し上げることにより、概ね全体重を支えることができる位置に圧力棒挿入スリット（２５）を形成する。なお、以下各項目の説明で、図４乃至図１２で示すサンダル足側底板（２０）とサンダル地面側底板（２１）とから形成される本発明の部分を「発明のサンダル底板」とも表記して説明する。
【００１７】
図７で示す圧力棒（２２）は、圧力棒の断面形状（２２−１）が円形又は多角形又は台形又は矩形又は楕円形又は半円形などの形状が考えられ、硬質ではあるが歩行者の体重で幾分凹む程度の柔軟性を持つゴム状やシリコン状などの材料で形成されることが考えられるが、硬質の金属などの素材と、磁気や放射能などの性質を持つ材料を圧力棒（２２）に組み込んで構成すれば鎮痛の効果を生むことも考えられる。圧力棒（２２）は単数とは限らず、複数を使用することもできる。本件の発明の実施例の各図では、圧力棒の断面形状（２２−１）は円形とし、単数使用としている。
【００１８】
圧力棒（２２）を挿入するための圧力棒挿入スリット（２５）は、歩行者の足の踵とつま先を結ぶ直線に対し、圧力棒（２２）が概ね直角に挿入されるように配置する。圧力棒挿入スリット（２５）は、サンダル足側底板（２０）とサンダル地面側底板（２１）を張り合わせて「発明のサンダル底板」を形成する場合は、図９において、Ｙ２及びＹ３の区間は接着剤等で強固に張り合わせ、Ｙ１の区間においては張り合わせずに圧力棒挿入スリット（２５）を形成し、Ｙ１の区間の圧力棒挿入スリット（２５）に圧力棒（２２）を挿入した場合にはサンダル足側底板（２０）は足側に押し拡げられ、サンダル地面側底板（２１）は地面又は床側にとそれぞれ反対方向に押し拡げられる構造とする。Ｙ１の区間の長さは圧力棒の断面形状（２２−１）の外周の半分以上であれば圧力棒（２２）の挿入位置を前後に調節できる。
【００１９】
「発明のサンダル底板」をサンダル足側底板（２０）とサンダル地面側底板（２１）を張り合わせず図１２のサンダル一体底板（２７）として一体の成形とする場合は、図１２におけるＹ４の区間においてサンダル一体底板（２７）の横断方向に圧力棒挿入スリット（２５）を形成して図１２に示す形態とする。この場合、Ｙ４の区間の長さは圧力棒の断面形状（２２−１）の外周の半分以上であれば圧力棒（２２）の挿入位置を前後に調節できる。
【００２０】
前々項（００１８）の場合も前項（００１９）で説明した図４乃至図１２に示すように、圧力棒（２２）を「発明のサンダル底板」に挿入するための圧力棒挿入スリット（２５）部分をＹ１乃至Ｙ４の区間に設けることができる。
【００２１】
図５に示すように、サンダル甲帽（２４）は、足の第１乃至第３中足趾関節部分（Ａ）に接触しないように足のつま先寄りに配置し、「発明のサンダル底板」に取り付ける。サンダルバンド（２３）は、足の第１乃至第３中足趾関節部分（Ａ）に接触しないように足首寄りに配置し、「発明のサンダル底板」に取り付ける。
【００２２】
前述、図１、図２及び図３で説明したように、従来のサンダルでは、踵部分にかかる反力（Ｐ１）と第１乃至第３中足趾関節部分にかかる反力（Ｐ２）はそれぞれ大きく、反面、土踏まず及び足底筋膜部分にかかる反力（Ｐ３）は小さい。しかるに、本発明を説明した図８では、全体重（Ｗ）を支える反力の大部分を、圧力棒挿入スリット（２５）に挿入された圧力棒（２２）によって拡張されたサンダル足側底板（２０）とサンダル地面側底板（２１）の膨らみ部分に集中して負荷され、一方、踵部分にかかる反力（Ｐ１）と第１乃至第３中足趾関節部分にかかる反力（Ｐ２）は相対的に減じられて小さくなる。しかして、土踏まず及び足底筋膜部分にかかる反力（Ｐ３）は大きくなるが、一般に土踏まず及び足底筋膜部分（Ｂ）に痛風を発症することは極めて稀であるため、大多数の痛風患者にとって痛みは感じず、従って、痛風を発症し易い第１乃至第３中足趾間接部分（Ａ）と踵部分（Ｃ）への刺激が大幅に減少し、痛風の痛みを軽減することができる。
【実施例１】
【００２３】
図４に示すサンダル足側底板（２０）と、サンダル地面側底板（２１）と、圧力棒（２２）と、圧力棒挿入スリット（２５）と、サンダルバンド（２３）と、サンダル甲帽（２４）によって構成される。
【００２４】
サンダル足側底板（２０）は「発明のサンダル底板」の一部で、歩行者の足裏側に接するサンダルの部品である。サンダル地面側底板（２１）は「発明のサンダル底板」の一部で、歩行時に地面もしくは床面などに接するサンダルの部品である。
【００２５】
「発明のサンダル底板」をサンダル足側底板（２０）とサンダル地面側底板（２１）を張り合わせて形成する場合に、図９において、Ｙ２及びＹ３の区間は接着剤等で強固に張り合わせ、Ｙ１の区間においては張り合わせずに圧力棒挿入スリット（２５）を形成し、Ｙ１の区間の圧力棒挿入スリット（２５）に圧力棒（２２）を挿入した場合にはサンダル足側底板（２０）は足側に押し拡げられ、サンダル地面側底板（２１）は地面又は床側にとそれぞれ反対方向に押し拡げられる構造とする。本発明を説明した図８では、全体重（Ｗ）を支える反力の大部分を、圧力棒挿入スリット（２５）に挿入された圧力棒（２２）によって拡張されたサンダル足側底板（２０）とサンダル地面側底板（２１）の膨らみ部分に集中して負荷され、一方、踵部分にかかる反力（Ｐ１）と第１乃至第３中足趾関節部分にかかる反力（Ｐ２）は相対的に減じられて小さくなる。しかして、土踏まず及び足底筋膜部分にかかる反力（Ｐ３）は大きくなるが、一般に土踏まず及び足底筋膜部分（Ｂ）に痛風を発症することは極めて稀であるため、大多数の痛風患者にとって痛みは感じず、従って、痛風を発症し易い第１乃至第３中足趾間接部分（Ａ）と踵部分（Ｃ）への刺激が大幅に減少し、痛風の痛みを軽減することができる。Ｙ１の区間の長さは図７で示す圧力棒の断面形状（２２−１）の外周の半分以上であれば圧力棒（２２）の挿入位置を前後に調節できる。図６は、サンダル足側底板（２０）とサンダル地面側底板（２１）の間の圧力棒挿入スリット（２５）に圧力棒（２２）が挿入されている状態を、サンダル足側底板（２０）を取り除いた図で説明している。
【００２６】
図５に示すように、サンダル甲帽（２４）は、足の第１乃至第３中足趾関節部分（Ａ）に接触しないように足のつま先寄りに配置し、「発明のサンダル底板」に取り付ける。サンダルバンド（２３）は、足の第１乃至第３中足趾関節部分（Ａ）に接触しないように足首寄りに配置し、「発明のサンダル底板」に取り付ける。
【００２７】
本実施例において、図９に示すように「発明のサンダル底板」に圧力棒（２２）を挿入していない状態は、痛風の症状が治まった場合にでも日常のサンダルとして使用できることを説明している。
【００２８】
本発明は、圧力棒（２２）を挿入して、いずれかの片足で使用し他方の足には圧力棒（２２）を挿入していない状態で実施する場合と、圧力棒（２２）を挿入した状態で両足で実施する場合と、圧力棒（２２）を挿入していない状態で両足で実施する場合が想定されるが、本発明の構成は足先から踵までの直線に対し左右対称であるので、左足用と右足用を交換しても使用できる。圧力棒（２２）を挿入していない状態で両足で実施する場合とはすなわち痛風の症状が無い平常時の使用ということである。
【実施例２】
【００２９】
図１２に示すサンダル一体底板（２７）と、圧力棒（２２）と、圧力棒挿入スリット（２５）と、サンダルバンド（２３）と、サンダル甲帽（２４）によって構成される。
【００３０】
本実施例では、図１２に示すように、「発明のサンダル底板」として、図７におけるサンダル足側底板（２０）とサンダル地面側底板（２１）を一体に成形したサンダル一体底板（２７）を用いる。サンダル一体底板（２７）の上面は歩行者の足裏側に接し、サンダル一体底板（２７）の下面は歩行時に地面もしくは床面などに接する。
【００３１】
サンダル一体底板（２７）には、図１２で示すＹ４の区間の位置においてサンダル底板の横断方向に圧力棒挿入スリット（２５）を形成する。圧力棒挿入スリット（２５）はサンダルの底板を左側から右側まで貫通していて、圧力棒（２２）を挿入した場合には、サンダル一体底板（２７）の足裏側接触面は足側に押し拡げられ、サンダル一体底板（２７）の地面側接触面は地面又は床側にとそれぞれ反対方向に押し拡げられて段丘を形成する。本発明を説明した図８では、全体重（Ｗ）を支える反力の大部分を、圧力棒挿入スリット（２５）に挿入された圧力棒（２２）によって拡張されたサンダル足側底板（２０）とサンダル地面側底板（２１）の膨らみ部分に集中して負荷され、一方、踵部分にかかる反力（Ｐ１）と第１乃至第３中足趾関節部分にかかる反力（Ｐ２）は相対的に減じられて小さくなる。しかして、土踏まず及び足底筋膜部分にかかる反力（Ｐ３）は大きくなるが、一般に土踏まず及び足底筋膜部分（Ｂ）に痛風を発症することは極めて稀であるため、大多数の痛風患者にとって痛みは感じず、従って、痛風を発症し易い第１乃至第３中足趾間接部分（Ａ）と踵部分（Ｃ）への刺激が大幅に減少し、痛風の痛みを軽減することができる。Ｙ１の区間の長さは圧力棒の断面形状（２２−１）の外周の半分以上であれば圧力棒（２２）の挿入位置を前後に調節できる。
【００３２】
図５に示すように、サンダル甲帽（２４）は、足の第１乃至第３中足趾関節部分（Ａ）や第１中足趾関節部分（Ａ−１）に接触しないように足のつま先寄りに配置し、サンダル一体底板（２７）に取り付ける。サンダルバンド（２３）は、足の第１乃至第３中足趾関節部分（Ａ）に接触しないように足首寄りに配置し、サンダル一体底板（２７）に取り付ける。
【実施例３】
【００３３】
（実施例１）又は（実施例２）において、図１１の例では、ヒール（２６）を有するサンダルの実施例を説明する。ヒール（２６）を有するサンダルの場合、サンダル地面側底板（２１）は、圧力棒（２２）を圧力棒挿入スリット（２５）に挿入した場合に変形し難いことが考えられるが、サンダル足側底板（２０）に用いる材料に例えば柔軟性を持つゴムやビニールなどを使用すれば、サンダル足側底板（２０）側のみが変形し膨らんで段丘を形成することができるが、本発明を説明した図８では、全体重（Ｗ）を支える反力の大部分を、圧力棒挿入スリット（２５）に挿入された圧力棒（２２）によって拡張されたサンダル足側底板（２０）の膨らみ部分に集中して負荷され、一方、踵部分にかかる反力（Ｐ１）と第１乃至第３中足趾関節部分にかかる反力（Ｐ２）は相対的に減じられて小さくなる。しかして、土踏まず及び足底筋膜部分にかかる反力（Ｐ３）は大きくなるが、一般に土踏まず及び足底筋膜部分（Ｂ）に痛風を発症することは極めて稀であるため、大多数の痛風患者にとって痛みは感じず、従って、痛風を発症し易い第１乃至第３中足趾間接部分（Ａ）と踵部分（Ｃ）への刺激が大幅に減少し、痛風の痛みを軽減することができる。圧力棒（２２）を取り除けばサンダル足側底板（２０）は平たくなって平常の用途としても使用できる。
【実施例４】
【００３４】
（実施例１）又は（実施例２）又は（実施例３）において、図１０に示すように、サンダルバンド（２３）とサンダル甲帽（２４）を繋ぐ保冷材押さえバンド（３０）を設ける。保冷材押さえバンド（３０）の一端部はサンダルバンド（２３）に接合し、保冷材押さえバンド（３０）の他端部はサンダル甲帽（２４）に接合する。保冷材押さえバンド（３０）は伸縮性のあるゴムバンドなどであることが望ましい。
【００３５】
保冷材押さえバンド（３０）と足の甲部分、とりわけ、第１乃至第３中足趾関節部（上面との間隙に、予め冷凍庫などで冷却していた保冷材（３１）を挟み込むことができる。この場合、保冷材押さえバンド（３０）が伸縮性のあるゴムバンドなどであれば保冷材（３１）がずれることなく安定して第１乃至第３中足趾関節部分（Ａ）を冷却することができる。
【００３６】
本実施例では、（実施例１）又は（実施例２）又は（実施例３）に加え、痛風患者の発熱と炎症の患部を冷却する場合に、保冷材（３１）を安定して痛風患部に当てることができ、痛風の痛みを軽減させ歩行を極めて楽にすることができる。
【００３７】
本実施例において、図１０には「発明のサンダル底板」に圧力棒（２２）を挿入していない状態で説明しているが、圧力棒（２２）を挿入している状態であっても構わない。また、本発明は足先から踵までの直線に対し左右対称であるので、左足用と右足用を交換しても使用できる。
【産業上の利用可能性】
【００３８】
本発明によれば、全国に５００万人以上いるという痛風患者及び痛風予備軍を対象とした医療器具の新たな商品を提供することができ、産業上の利用可能性は極めて高い。
【符号の説明】
【００３９】
１０  人の左足部分（脚部を省略）
Ａ  第１乃至第３中足趾関節部分
Ｂ  土踏まず及び足底筋膜部分
Ｃ  踵部分
Ａ−１  第１中足趾関節部分
１３  従来のサンダル底板
１４  従来のサンダル甲帽
２０  サンダル足側底板
２１  サンダル地面側底板
２２  圧力棒
２２−１  圧力棒の断面形状
２３  サンダルバンド
２４  サンダル甲帽
２５  圧力棒挿入スリット
２６  ヒール
２７  サンダル一体底板
３０  保冷材押さえバンド
３１  保冷材
Ｗ  全体重
Ｐ１  踵部分にかかる反力
Ｐ２  第１乃至第３中足趾関節部分にかかる反力
Ｐ３  土踏まず及び足底筋膜部分にかかる反力
Ｙ１  サンダル底板側面のスリット区間１
Ｙ２  サンダル底板側面のスリット区間２
Ｙ３  サンダル底板側面のスリット区間３
Ｙ４  サンダル一体底板側面のスリット区間４
【図１】
2018149044.tif 000003
【図２】
2018149044.tif 000004
【図３】
2018149044.tif 000005
【図４】
2018149044.tif 000006
【図５】
2018149044.tif 000007
【図６】
2018149044.tif 000008
【図７】
2018149044.tif 000009
【図８】
2018149044.tif 000010
【図９】
2018149044.tif 000011
【図１０】
2018149044.tif 000012
【図１１】
2018149044.tif 000013
【図１２】
2018149044.tif 000014